(57)【要約】【課題】ウェブサイトに投稿されたコンテンツが不正にウェブサイトへの投稿に流用されることを防止することが可能な投稿管理装置、投稿管理方法、投稿管理プログラムを提供すること。【解決手段】本発明に係る投稿管理装置は、投稿者によるコンテンツの入力操作を受け付け、前記コンテンツに当該コンテンツの投稿者を示す投稿者情報が付加されていない場合に、当該コンテンツの入力操作を行った投稿者に対応する投稿者情報を当該コンテンツに付加し、前記投稿者情報が付加された前記コンテンツを特定のウェブサイトに投稿する。そして、前記投稿管理装置は、前記入力処理部によって受け付けられるコンテンツに既に前記投稿者情報が付加されている場合であって、当該投稿者情報が当該コンテンツの入力操作を行った前記投稿者の投稿者情報と異なる場合に、前記投稿処理部による当該コンテンツの投稿を制限することが可能である。【選択図】図３
2018097587.tif 000002
【特許請求の範囲】
【請求項１】
投稿者によるコンテンツの入力操作を受け付け可能な入力処理部と、
前記入力処理部によって受け付けられる前記コンテンツに当該コンテンツの投稿者を示す投稿者情報が付加されていない場合に、当該コンテンツの入力操作を行った前記投稿者に対応する前記投稿者情報を当該コンテンツに付加する付加処理部と、
前記投稿者情報が付加された前記コンテンツを特定のウェブサイトに投稿する投稿処理部と、
前記入力処理部によって受け付けられる前記コンテンツに既に前記投稿者情報が付加されている場合であって、当該投稿者情報が当該コンテンツの入力操作を行った前記投稿者の前記投稿者情報と異なる場合に、前記投稿処理部による当該コンテンツの投稿を制限可能な制限処理部と、
を備える投稿管理装置。
【請求項２】
前記付加処理部は、前記コンテンツの投稿者が属する予め設定されたグループを示すグループ情報を前記コンテンツに付加するものであり、
前記制限処理部は、前記入力処理部によって受け付けられる前記コンテンツの投稿者に対応する前記グループ情報が、前記コンテンツに既に付加されている前記グループ情報と同一である場合は前記コンテンツの投稿を制限しない、
請求項１に記載の投稿管理装置。
【請求項３】
前記グループ情報が、飲食店のチェーン店を示すチェーン店情報である、
請求項２に記載の投稿管理装置。
【請求項４】
前記入力処理部は、前記コンテンツに対応するメニュー情報の入力を受け付け可能であり、
前記付加処理部は、前記コンテンツに前記入力処理部によって受け付けられる前記メニュー情報を付加するものであり、
前記制限処理部は、前記入力処理部によって受け付けられる前記メニュー情報が、前記コンテンツに既に付加されている前記メニュー情報と同一である場合は前記コンテンツの投稿を制限しない、
請求項１に記載の投稿管理装置。
【請求項５】
前記メニュー情報が、飲食店におけるメニュー名及び価格である、
請求項４に記載の投稿管理装置。
【請求項６】
前記付加処理部は、前記投稿者情報、前記グループ情報、又は前記メニュー情報を電子透かしによって前記コンテンツに付加する、
請求項１〜５のいずれかに記載の投稿管理装置。
【請求項７】
前記制限処理部は、前記投稿処理部により投稿される前記コンテンツに当該コンテンツの表示時に表示される予め設定された可視報知情報を付加することにより前記投稿処理部による当該コンテンツの投稿を制限する、
請求項１〜６のいずれかに記載の投稿管理装置。
【請求項８】
前記コンテンツが、画像、動画、又は音声である、
請求項１〜７のいずれかに記載の投稿管理装置。
【請求項９】
投稿者によるコンテンツの入力操作を受け付け可能な入力ステップと、
前記入力ステップによって受け付けられる前記コンテンツに当該コンテンツの投稿者を示す投稿者情報が付加されていない場合に、当該コンテンツの入力操作を行った前記投稿者に対応する前記投稿者情報を当該コンテンツに付加する付加ステップと、
前記投稿者情報が付加された前記コンテンツを特定のウェブサイトに投稿する投稿ステップと、
前記入力ステップによって受け付けられる前記コンテンツに既に前記投稿者情報が付加されている場合であって、当該投稿者情報が当該コンテンツの入力操作を行った前記投稿者の前記投稿者情報と異なる場合に、前記投稿ステップによる当該コンテンツの投稿を制限可能な制限ステップと、
を含む投稿管理方法。
【請求項１０】
投稿者によるコンテンツの入力操作を受け付け可能な入力ステップと、
前記入力ステップによって受け付けられる前記コンテンツに当該コンテンツの投稿者を示す投稿者情報が付加されていない場合に、当該コンテンツの入力操作を行った前記投稿者に対応する前記投稿者情報を当該コンテンツに付加する付加ステップと、
前記投稿者情報が付加された前記コンテンツを特定のウェブサイトに投稿する投稿ステップと、
前記入力ステップによって受け付けられる前記コンテンツに既に前記投稿者情報が付加されている場合であって、当該投稿者情報が当該コンテンツの入力操作を行った前記投稿者の前記投稿者情報と異なる場合に、前記投稿ステップによる当該コンテンツの投稿を制限可能な制限ステップと、
をコンピューターに実行させるための投稿管理プログラム。
【発明の詳細な説明】
【技術分野】
【０００１】
本発明は、ユーザー端末から画像などのコンテンツの投稿を受け付ける投稿管理装置、投稿管理方法、投稿管理プログラムに関する。
【背景技術】
【０００２】
一般に、ユーザー端末から通信ネットワークを介して画像などのコンテンツのウェブサイトへの投稿を受け付け可能なシステムが知られている。例えば、前記ウェブサイトは、複数の飲食店の情報が検索可能な飲食店情報サイトである。なお、投稿される画像とユーザーの識別情報とをタグ付けにより関連付けて管理する技術が知られている（例えば、特許文献１参照）。
【先行技術文献】
【特許文献】
【０００３】
【特許文献１】特開２０１４−０６３３２５号公報
【発明の概要】
【発明が解決しようとする課題】
【０００４】
ところで、ユーザーによってウェブサイトに投稿されるコンテンツは、他のユーザーによってダウンロード可能であるため、そのコンテンツが不正にウェブサイトへの投稿に流用されるおそれがある。例えば、ある飲食店のメニューの画像が他の飲食店のメニューの画像として流用されることが考えられる。
【０００５】
本発明の目的は、ウェブサイトに投稿されたコンテンツが不正にウェブサイトへの投稿に流用されることを防止することが可能な投稿管理装置、投稿管理方法、投稿管理プログラムを提供することにある。
【課題を解決するための手段】
【０００６】
本発明に係る投稿管理装置は、投稿者によるコンテンツの入力操作を受け付け可能な入力処理部と、前記入力処理部によって受け付けられる前記コンテンツに当該コンテンツの投稿者を示す投稿者情報が付加されていない場合に、当該コンテンツの入力操作を行った前記投稿者に対応する前記投稿者情報を当該コンテンツに付加する付加処理部と、前記投稿者情報が付加された前記コンテンツを特定のウェブサイトに投稿する投稿処理部と、前記入力処理部によって受け付けられる前記コンテンツに既に前記投稿者情報が付加されている場合であって、当該投稿者情報が当該コンテンツの入力操作を行った前記投稿者の前記投稿者情報と異なる場合に、前記投稿処理部による当該コンテンツの投稿を制限可能な制限処理部とを備える。
【０００７】
本発明に係る投稿管理方法は、投稿者によるコンテンツの入力操作を受け付け可能な入力ステップと、前記入力ステップによって受け付けられる前記コンテンツに当該コンテンツの投稿者を示す投稿者情報が付加されていない場合に、当該コンテンツの入力操作を行った前記投稿者に対応する前記投稿者情報を当該コンテンツに付加する付加ステップと、前記投稿者情報が付加された前記コンテンツを特定のウェブサイトに投稿する投稿ステップと、前記入力ステップによって受け付けられる前記コンテンツに既に前記投稿者情報が付加されている場合であって、当該投稿者情報が当該コンテンツの入力操作を行った前記投稿者の前記投稿者情報と異なる場合に、前記投稿ステップによる当該コンテンツの投稿を制限可能な制限ステップとを含む。
【０００８】
本発明に係る投稿管理プログラムは、投稿者によるコンテンツの入力操作を受け付け可能な入力ステップと、前記入力ステップによって受け付けられる前記コンテンツに当該コンテンツの投稿者を示す投稿者情報が付加されていない場合に、当該コンテンツの入力操作を行った前記投稿者に対応する前記投稿者情報を当該コンテンツに付加する付加ステップと、前記投稿者情報が付加された前記コンテンツを特定のウェブサイトに投稿する投稿ステップと、前記入力ステップによって受け付けられる前記コンテンツに既に前記投稿者情報が付加されている場合であって、当該投稿者情報が当該コンテンツの入力操作を行った前記投稿者の前記投稿者情報と異なる場合に、前記投稿ステップによる当該コンテンツの投稿を制限可能な制限ステップとをコンピューターに実行させるための投稿管理プログラムである。
【発明の効果】
【０００９】
本発明によれば、ウェブサイトに投稿されたコンテンツが不正にウェブサイトへの投稿に流用されることを防止することが可能な投稿管理装置、投稿管理方法、投稿管理プログラムが提供される。
【図面の簡単な説明】
【００１０】
【図１】図１は、本発明の実施の形態に係る投稿管理システムの構成を示すブロック図である。
【図２Ａ】図２Ａは、本発明の実施の形態に係る投稿管理装置で使用されるユーザー情報の一例を示す図である。
【図２Ｂ】図２Ｂは、本発明の実施の形態に係る投稿管理装置で使用される施設情報の一例を示す図である。
【図２Ｃ】図２Ｃは、本発明の実施の形態に係る投稿管理装置で使用される施設所属情報の一例を示す図である。
【図２Ｄ】図２Ｄは、本発明の実施の形態に係る投稿管理装置で使用されるグループ情報の一例を示す図である。
【図３】図３は、本発明の実施の形態に係る投稿管理装置で実行される投稿管理処理の一例を示すフローチャートである。
【図４】図４は、本発明の実施の形態に係る投稿管理システムにおいてユーザー端末に表示される表示画面の一例を示す図である。
【図５】図５は、本発明の実施の形態に係る投稿管理装置で実行される投稿管理処理の他の例を示すフローチャートである。
【図６】図６は、本発明の実施の形態に係る投稿管理装置で実行される投稿管理処理の他の例を示すフローチャートである。
【図７】図７は、本発明の実施の形態に係る投稿管理装置で実行される投稿管理処理の他の例を示すフローチャートである。
【発明を実施するための形態】
【００１１】
以下添付図面を参照しながら、本発明の実施形態について説明し、本発明の理解に供する。なお、以下の実施形態は、本発明を具体化した一例であって、本発明の技術的範囲を限定する性格のものではない。また、各実施形態に係る構成の一部又は全部を任意に組み合わせることも可能である。
【００１２】
［第１実施形態］
まず、図１〜図４を参照しつつ、本発明の第１実施形態に係る投稿管理システム１について説明する。
【００１３】
［投稿管理システム１］
図１に示すように、投稿管理システム１は、投稿管理装置２と一又は複数のユーザー端末３とを含む。投稿管理装置２及びユーザー端末３は、インターネット、ＬＡＮ、ＷＡＮ、又は公衆電話回線などの通信ネットワークＮ１を介して通信可能である。
【００１４】
そして、投稿管理システム１では、投稿管理装置２が、ユーザー端末３から画像、音声、又は動画などのコンテンツの投稿を受け付けて特定のウェブサイトにアップロードする。前記特定のウェブサイトは、ユーザー端末３などの情報処理装置から通信ネットワークＮ１を介して閲覧可能である。前記特定のウェブサイトは、例えば新年会、忘年会、バーベキュー、宴会、懇親会、同窓会、社員旅行、及びゴルフコンペ等の各種のイベントで使用される飲食店、イベント会場、ホテル、又はゴルフ場などの施設の情報が提供される情報提供サイトである。また、前記情報提供サイトで提供される情報は、食品、電化製品、又は車両などの物品、或いは、宴会コース、ウエディングプラン、旅行プランなどのサービスに関する情報であってもよい。本実施形態では、前記特定のウェブサイトが、飲食店の情報を提供する飲食店検索サイトである場合を例に挙げて説明する。
【００１５】
［投稿管理装置２］
図１に示されるように、投稿管理装置２は、制御部２１、記憶部２２、操作表示部２３、及び通信Ｉ／Ｆ２４などを備えるサーバーコンピューターである。なお、投稿管理装置２は、１台のコンピューターに限らず、複数台のコンピューターが協働して動作するコンピューターシステムであってもよい。また、投稿管理装置２で実行される各種の処理は、一又は複数のプロセッサーによって分散して実行されてもよい。
【００１６】
通信Ｉ／Ｆ２４は、投稿管理装置２を有線又は無線で通信ネットワークＮ１に接続し、通信ネットワークＮ１を介してユーザー端末３などの外部機器との間で所定の通信プロト
コルに従ったデータ通信を実行するための通信インターフェースである。
【００１７】
操作表示部２３は、各種の情報を表示する液晶ディスプレイ又は有機ＥＬディスプレイのような表示部と、操作を受け付けるマウス、キーボード、又はタッチパネルなどの操作部とを備えるユーザーインターフェースである。
【００１８】
記憶部２２は、各種の情報を記憶する半導体メモリ、ＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）などを含む不揮発性の記憶部である。具体的に、記憶部２２には、ユーザー情報Ｄ１、施設情報Ｄ２、施設所属情報Ｄ３、グループ情報Ｄ４などのデータが記憶される。ここに、図２Ａはユーザー情報Ｄ１の一例を示す図、図２Ｂは施設情報Ｄ２の一例を示す図である。また、図２Ｃは施設所属情報Ｄ３の一例を示す図、図２Ｄはグループ情報Ｄ４の一例を示す図である。
【００１９】
図２Ａに示されるように、ユーザー情報Ｄ１には、ユーザー端末３のユーザーごとに対応するユーザーＩＤ、ユーザー名、パスワード、連絡先などの情報が含まれる。ユーザーＩＤはユーザーを識別するための識別情報の一例であって、ユーザーＩＤ及びパスワードはユーザーのログイン処理で使用される。ユーザー名は、ユーザーの氏名等である。連絡先は、ユーザーに情報を通知する際の宛先となる情報であって、例えばメールアドレス又はＳＮＳ（Ｓｏｃｉａｌ  Ｎｅｔｗｏｒｋｉｎｇ  Ｓｅｒｖｉｃｅ）のＩＤ等である。
【００２０】
図２Ｂに示されるように、施設情報Ｄ２には、施設ごとに対応する施設ＩＤ、施設名、エリア、ジャンル、予算などの情報が含まれる。施設ＩＤは、施設を識別するための識別情報の一例である。エリアは、施設の所在地を示し、ジャンルは、施設で提供されるサービス内容を識別可能な業態であって、例えば料理ジャンルを示す。予算は、例えば施設の利用について必要な平均的な金額として予め設定された金額である。なお、施設情報Ｄ２には、他に利用目的、許容人数、クーポン使用可否、飲み放題有無、又は食べ放題有無などの情報が含まれていてもよい。
【００２１】
図２Ｃに示されるように、施設所属情報Ｄ３には、施設ごとに対応する施設ＩＤと、当該施設ＩＤ各々に属するユーザーのユーザーＩＤとが対応付けて記憶されている。例えば、制御部２１は、施設ごとに予め設定された管理者によるユーザー端末３の操作に応じて、施設に属するユーザーＩＤを登録することが可能である。これにより、制御部２１は、施設所属情報Ｄ３に基づいて、ユーザー各々が属する施設を判断することが可能である。
【００２２】
図２Ｄに示されるように、グループ情報Ｄ４には、チェーン店種別ごとに対応するチェーン店ＩＤと、当該チェーン店ＩＤ各々に属する施設の施設ＩＤとが対応付けて記憶されている。なお、チェーン店種別は、複数の投稿者に対応するグループの一例である。例えば、制御部２１は、チェーン店種別ごとに予め設定された管理者によるユーザー端末３の操作に応じて、チェーン店種別に属する施設ＩＤを登録することが可能である。これにより、制御部２１は、グループ情報Ｄ４に基づいて、施設各々が属するチェーン店種別を判断することが可能である。
【００２３】
なお、他の実施形態として、ユーザー情報Ｄ１、施設情報Ｄ２、施設所属情報Ｄ３、グループ情報Ｄ４などの情報の一部又は全部が、投稿管理装置２から通信ネットワークＮ１を介してアクセス可能な他のサーバーに記憶されていることも考えられる。そして、投稿管理装置２の制御部２１は、前記サーバーから各種の情報を取得して、後述の投稿管理処理（図３参照）などの各処理を実行してもよい。
【００２４】
また、記憶部２２には、予め表示レイアウトが設定された各種のウェブページをユーザー端末３に表示させるための特定のウェブサイトの情報も記憶される。具体的に、ユーザー端末３に表示される前記特定のウェブサイトには、後述の登録ページＰ１１（図４参照）などが含まれる。なお、登録ページＰ１１などのウェブページは、例えばＨＴＭＬなどのマークアップ言語で定義される。
【００２５】
本実施形態では、前記特定のウェブサイトが、飲食店などの施設の検索に用いられるグルメ情報検索サイトである場合を例に挙げて説明する。なお、前記特定のウェブサイトは、予め設定された一つのドメインに属するウェブページの集合体であってもよいが、例えば同一の投稿管理装置２に記憶された複数のドメインに属するウェブページの集合体を前記特定のウェブサイトとして捉えてもよい。具体的に、前記登録ページＰ１１は、前記特定のウェブサイト内のページであって、前記特定のウェブサイトとドメインが共通しているページである。また、前記特定のウェブサイトに含まれるウェブページは、複数の投稿管理装置２のようなサーバーに分散して記憶されたものであってもよい。
【００２６】
さらに、記憶部２２には、制御部２１に後述の投稿管理処理（図３参照）を実行させるための投稿管理プログラムなどの制御プログラムが記憶されている。例えば、前記投稿管理プログラムは、ＣＤ又はＤＶＤなどのコンピューター読取可能な記録媒体に非一時的に記録されており、投稿管理装置２が備えるＣＤドライブ又はＤＶＤドライブなどの読取装置（不図示）で読み取られて記憶部２２に記憶される。
【００２７】
制御部２１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の演算処理を実行させるためのＢＩＯＳ及びＯＳなどの制御プログラムが予め記憶される不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部２１は、前記ＲＯＭ又は記憶部２２に予め記憶された各種の制御プログラムを前記ＣＰＵで実行することにより投稿管理装置２を制御する。
【００２８】
具体的に、制御部２１は、図１に示されるように、入力処理部２１１、付加処理部２１２、投稿処理部２１３、制限処理部２１４などの各種の処理部を含む。なお、制御部２１は、前記ＣＰＵで前記投稿管理プログラムに従った各種の処理を実行することによって前記各種の処理部として機能する。また、制御部２１に含まれる一部又は全部の処理部が電子回路で構成されていてもよい。なお、前記投稿管理プログラムは、複数のプロセッサーを前記各種の処理部として機能させるためのプログラムであってもよい。
【００２９】
入力処理部２１１は、ユーザー端末３を用いた投稿者によるコンテンツの入力操作を受け付けるための処理を実行する。また、入力処理部２１１は、ユーザー端末３に所定のログインページを表示させ、ユーザー端末３に対するユーザー操作によって入力されるユーザーＩＤ及びパスワートと、ユーザー情報Ｄ１におけるユーザーＩＤ及びパスワードとに基づいてユーザーを認証して投稿管理装置２にログインさせる。これにより、投稿管理装置２では、ユーザー端末３の現在のユーザーを投稿者として特定することが可能である。
【００３０】
付加処理部２１２は、入力処理部２１１によって受け付けられる前記コンテンツに当該コンテンツの投稿者を示す投稿者情報が付加されていない場合に、前記コンテンツの入力操作を行った前記投稿者であるユーザーに対応する投稿者情報を当該コンテンツに付加する処理を実行する。前記投稿者情報には、前記投稿者であるユーザーのユーザーＩＤ、又は前記ユーザーが属する施設の施設ＩＤなどが含まれる。
【００３１】
より具体的に、付加処理部２１は、コンテンツのファイル名のように容易に参照可能な情報ではなく、ＭＥＴＡタグ情報、ヘッダー情報、インデックス情報、又はプロパティ情報などのように意図的に参照しなければ参照されない非表示情報に前記投稿者情報を追加することにより当該投稿者情報を前記コンテンツに付加する。なお、前記投稿者情報を前記コンテンツに付加する手法はこれに限らないが、前記非表示情報はインターネット上のクローリング処理によって検索可能な手法であることが望ましい。例えば、付加処理部２１２は、前記クローリング処理で検索可能な電子透かしとして前記投稿者情報を前記コンテンツに付加することが考えられる。
【００３２】
なお、前記クローリング処理では、インターネット上で公開されている不特定のウェブページを対象に、検索対象として入力されるユーザーＩＤ又は施設ＩＤが前記非表示情報に含まれるコンテンツが検索されることも考えられる。しかしながら、ユーザーＩＤ又は施設ＩＤは任意に登録又は削除されるおそれがあるため、前記クローリング処理の対象となるユーザーＩＤ又は施設ＩＤの入力が必要となり、その入力作業に手間が生じる。これに対し、付加処理部２１は、前記投稿者情報と共に、投稿者がコンテンツを投稿した投稿先である前記特定のウェブページのメインサイトのドメイン名又はサイト名などのサイト識別情報を前記非表示情報に追加することにより当該サイト識別情報を前記コンテンツにする付加することが考えられる。これにより、インターネット上のクローリング処理において、前記サイト識別情報を検索することにより当該サイト識別情報が付加された前記コンテンツを検索することが可能となる。従って、前記クローリング処理では、例えば前記サイト識別情報に検索対象の前記サイト識別情報が付加されているウェブページが検索され、その検索によって抽出されたウェブページのうち前記特定のウェブページとは前記サイト識別情報が異なるウェブページが、前記特定のウェブページで使用されている前記コンテンツが不正に掲載されているおそれがあるウェブページとして特定されることが考えられる。これにより、前記クローリング処理の実行に要する操作者の手間又は情報処理装置の処理負担が軽減される。
【００３３】
投稿処理部２１３は、前記投稿者情報が付加された前記コンテンツを含む投稿データを、通信ネットワークＮ１を介して外部のユーザー端末３などの情報処理装置で閲覧可能な前記特定のウェブサイトに投稿するための投稿処理を実行する。具体的に、投稿処理部２１３は、記憶部２２の記憶領域のうち、前記特定のウェブサイトが記憶された記憶領域に前記コンテンツなどの投稿データを記憶させる。なお、前記投稿データは、例えば飲食店のメニュー情報、又はユーザーによるレビュー情報などである。また、投稿処理部２１３は、前記コンテンツを前記特定のウェブサイト上にアップロードすることが可能であれば、前記投稿処理の内容はこれに限らない。例えば、前記特定のウェブサイトを管理する管理サーバーが投稿管理装置２とは別に設けられている場合、投稿処理部２１３は、前記投稿データを前記管理サーバーにアップロードすることが考えられる。
【００３４】
制限処理部２１４は、予め設定された制限条件に従って投稿処理部２１３による当該コンテンツの投稿を制限することが可能である。具体的に、制限処理部２１４は、入力処理部２１１によって受け付けられる前記コンテンツに既に前記投稿者情報が付加されている場合であって、当該投稿者情報が当該コンテンツの入力操作を行った前記投稿者であるユーザーの前記投稿者情報と異なる場合に、前記制限条件が充足すると判断し、投稿処理部２１３による当該コンテンツの投稿を制限する。例えば、前記コンテンツの投稿の制限は、前記コンテンツの前記特定のウェブサイトへの投稿を禁止すること、前記コンテンツに予め設定された画像処理を施すこと、又は前記コンテンツに所定のメッセージを付加すること等である。
【００３５】
［ユーザー端末３］
図１に示されるように、ユーザー端末３は、制御部３１、記憶部３２、操作表示部３３、及び通信Ｉ／Ｆ３４などを備える。ユーザー端末３は、例えば携帯電話、スマートフォン、タブレット端末、又はパーソナルコンピューターのような情報処理装置であり、投稿管理装置２にアクセスして前記特定のウェブサイトの閲覧、又は前記特定のウェブサイトへの投稿などを行うユーザーによって使用される操作端末である。
【００３６】
具体的に、ユーザーは、ユーザー端末３を用いて、前記所定のログインページにユーザーＩＤ及びパスワードを入力することにより投稿管理装置２にログインする。これにより、投稿管理装置２の制御部２１は、ユーザー端末３に現在ログイン中のユーザーを識別することが可能である。
【００３７】
通信Ｉ／Ｆ３４は、ユーザー端末３を有線又は無線で通信ネットワークＮ１に接続し、通信ネットワークＮ１を介して投稿管理装置２などの外部機器との間で所定の通信プロトコルに従ったデータ通信を実行するための通信インターフェースである。
【００３８】
操作表示部３３は、各種のウェブページなどの情報を表示する液晶ディスプレイ又は有機ＥＬディスプレイのような表示部と、操作を受け付けるマウス、キーボード、又はタッチパネルなどの操作部とを備えるユーザーインターフェースである。
【００３９】
記憶部３２は、各種の情報を記憶するフラッシュメモリー、ＨＤＤ、又はＳＳＤなどの不揮発性の記憶部である。例えば、記憶部３２には、ブラウザプログラム等の制御プログラムが記憶される。具体的に、前記ブラウザプログラムは、ＨＴＴＰ（Ｈｙｐｅｒｔｅｘｔ  Ｔｒａｎｓｆｅｒ  Ｐｒｏｔｏｃｏｌ）等の通信プロトコルに従って投稿管理装置２等の外部装置との間で通信処理を制御部３１に実行させるための制御プログラムである。
【００４０】
制御部３１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部３１は、前記ＲＯＭ又は記憶部３２に予め記憶された各種の制御プログラムを前記ＣＰＵで実行することによりユーザー端末３を制御する。
【００４１】
具体的に、制御部３１は、記憶部３２に記憶されている前記ブラウザプログラムに従って各種の処理を実行することによりブラウザ処理部３１１として機能する。ブラウザ処理部３１１は、投稿管理装置２から通信ネットワークＮ１を介して提供されるウェブページを操作表示部３３に表示させ、操作表示部３３に対する操作を投稿管理装置２に入力するブラウザ処理を実行することが可能である。また、記憶部３２に、投稿管理装置２に対する前記コンテンツなどの投稿を行うための投稿プログラムが記憶されており、制御部３１が、前記投稿プログラムに従って各種の処理を実行することにより、投稿管理装置２との間で通信処理を実行し、前記特定のウェブサイトの閲覧及び前記特定のウェブサイトへの投稿が可能な構成であってもよい。なお、制御部３１に含まれる一部又は全部の処理部は電子回路で構成されていてもよい。
【００４２】
ところで、この種の投稿管理システム１では、ユーザーによってウェブサイトにアップロードされたコンテンツは、他のユーザーによってダウンロード可能であるため、そのコンテンツが不正にウェブサイトへの投稿に流用されるおそれがある。これに対し、本実施形態に係る投稿管理システム１における投稿管理方法によれば、ウェブサイトに投稿されたコンテンツが不正にウェブサイトへの投稿に流用されることを防止することが可能である。
【００４３】
［投稿管理処理］
以下、図３を参照しつつ、投稿管理装置２の制御部２１が前記投稿管理プログラムに従って実行する投稿管理処理の一例について説明する。なお、制御部２１は、ユーザー端末３からのアクセスが発生した場合に、ユーザー端末３ごとに対応する当該投稿管理処理を個別に実行する。即ち、制御部２１は、複数のユーザー端末３に対応する前記投稿管理処理を時分割によって略並行して実行することがある。また、当該投稿管理処理は、ユーザーがユーザー端末３を用いて投稿管理装置２にログインした状態で、予め設定された投稿開始操作を行った場合に表示される。なお、当該投稿管理処理は、ユーザー端末３の所定の操作によって途中で終了されることがある。
【００４４】
また、本発明は、当該投稿管理処理に含まれる一又は複数のステップを実行する投稿管理方法の発明として捉えることができ、ここで説明する当該投稿管理処理に含まれる一又は複数のステップが適宜省略されてもよい。さらに、本発明は、当該投稿管理処理に含まれる一又は複数のステップを投稿管理装置２のようなコンピューターに実行させるための前記投稿管理プログラムの発明として捉えることもできる。なお、前記投稿管理処理における各ステップは同様の作用効果を生じる範囲で実行順序が異なってもよい。さらに、ここでは制御部２１によって当該投稿管理処理における各ステップが実行される場合を例に挙げて説明するが、複数のプロセッサーによって当該投稿管理処理における各ステップが分散して実行される投稿管理方法も他の実施形態として考えられる。
【００４５】
＜ステップＳ１１＞
ステップＳ１１において、制御部２１は、コンテンツの登録要求が発生したか否かを判断する。そして、前記登録要求が発生したと判定されると（Ｓ１：Ｙｅｓ）、処理がステップＳ２に移行し、前記登録要求が発生していなければ（Ｓ１：Ｎｏ）、ステップＳ１の処理が適宜繰り返して実行される。
【００４６】
具体的に、前記ステップＳ１において、制御部２１は、前記投稿開始操作に応じて、ユーザー端末３に前記特定のウェブサイト内の登録ページＰ１１をユーザー端末３に表示させる。そして、制御部２１は、登録ページＰ１１において飲食メニューなどのメニュー情報の入力操作を受け付ける。その後、制御部２１は、現在入力中のメニュー情報の登録操作が行われた場合に、前記コンテンツの登録要求が発生したと判断する。
【００４７】
ここに、図４は、前記登録ページＰ１１の一例を示す図である。図４に示されるように、登録ページＰ１１には、操作キーＫ１１、操作キーＫ１２、タイトル表示部Ａ１１、コンテンツ表示部Ａ１２、メニュー名入力部Ａ１３、価格入力部Ａ１４、解説文入力部Ａ１５が表示される。
【００４８】
制御部２１は、ユーザー端末３における操作キーＫ１１の操作に応じて、現在編集対象のメニュー情報に対応するコンテンツのアップロードの要求操作を受け付ける。具体的に、ユーザー端末３では、操作キーＫ１１の操作に応じて、ユーザー端末３に記憶されているアップロード対象の前記コンテンツを選択するための選択画面が表示される。そして、制御部２１は、前記コンテンツの選択操作を、ユーザー端末３を用いた投稿者による前記コンテンツの入力操作として受け付け、前記コンテンツを取得して記憶部２２に一時記憶させる。係る処理は制御部２１の入力処理部２１１によって実行される。また、制御部２１は、ユーザー端末３における操作キーＫ１２の操作に応じて、登録ページＰ１１に現在入力されているメニュー情報の登録操作を、前記コンテンツの登録操作として受け付ける（Ｓ１１：Ｙｅｓ）。
【００４９】
タイトル表示部Ａ１１には、例えば現在ログイン中のユーザーが属する施設の店舗名称、店舗番号、又は店舗ＩＤなどが表示される。また、タイトル表示部Ａ１１には、ユーザー名、ユーザーＩＤ、又はチェーン店ＩＤなどが表示されてもよい。コンテンツ表示部Ａ１２には、現在編集対象のメニュー情報に対応するコンテンツに関連する情報が表示される。例えば、前記コンテンツが画像である場合は、その画像がコンテンツ表示部Ａ１２に表示される。また、前記コンテンツが音声である場合には、その音声を再生するための操作部がコンテンツ表示部Ａ１２に表示され、前記コンテンツが動画である場合は、その動画を再生するための操作部又は動画のサムネイル画像がコンテンツ表示部Ａ１２に表示される。
【００５０】
メニュー名入力部Ａ１３は、メニュー情報のうちメニュー名の入力操作を受け付けるための入力欄である。価格入力部Ａ１４は、メニュー情報のうちメニューの価格の入力操作を受け付けるための入力欄である。解説文入力部Ａ１５は、メニュー情報のうち解説文の入力操作を受け付けるための入力欄である。そして、制御部２１は、ユーザー端末３に対するメニュー名入力部Ａ１３、価格入力部Ａ１４、及び解説文入力部Ａ１５への入力操作に応じて、メニュー名、価格、解説文などのメニュー情報の入力を受け付ける。なお、登録ページＰ１１では、メニュー情報として他の情報が入力可能であってもよい。
【００５１】
＜ステップＳ１２＞
ステップＳ１２において、制御部２１は、登録画面Ｐ１１においてアップロードされた前記コンテンツに前記投稿者情報が付加されているか否かを判断する。ここで、前記コンテンツに前記投稿者情報が付加されていると判断されると（Ｓ１２：Ｙｅｓ）、処理がステップＳ１３に移行し、前記コンテンツに前記投稿者情報が付加されていないと判断されると（Ｓ１２：Ｎｏ）、処理がステップＳ１２１に移行する。例えば、制御部２１は、前記投稿者情報にユーザーＩＤ及び店舗ＩＤのいずれか一方又は両方が含まれている場合に、前記コンテンツに前記投稿者情報が付加されていると判断する。
【００５２】
＜ステップＳ１２１＞
ステップＳ１２１において、制御部２１は、前記コンテンツをアップロードしたログイン中のユーザーに関する前記投稿者情報を当該コンテンツに付加する。ここに、係る付加処理は、制御部２１の付加処理部２１２によって実行される。一方、前記コンテンツに前記投稿者情報が付加されている場合には（Ｓ１２：Ｎｏ）、当該投稿者情報が上書きされることがない。即ち、当該コンテンツの投稿時に付加されている前記投稿者情報は、当該コンテンツの最初の投稿者であるユーザーに関する前記投稿者情報となる。
【００５３】
＜ステップＳ１３＞
ステップＳ１３において、制御部２１は、前記コンテンツに既に付加されている前記投稿者情報が、当該コンテンツの投稿を要求している現在ログイン中の投稿者の前記投稿者情報と同じであるか否かを判断する。ここで、前記投稿者情報が同じであると判断されると（Ｓ１３：Ｙｅｓ）、処理がステップＳ１４に移行し、前記投稿者情報が同じでないと判断されると（Ｓ１３：Ｎｏ）、処理がステップＳ１３１に移行する。
【００５４】
＜ステップＳ１３１＞
ステップＳ１３１において、制御部２１は、前記コンテンツの登録要求が行われたユーザー端末３にエラー又は警告メッセージなどを報知するエラー報知処理を実行すると共に、当該事象の発生をエラー情報として記憶部２２に記録した後、当該投稿管理処理を終了する。即ち、制御部２１は、前記コンテンツの前記投稿者情報が一致しない場合には（Ｓ１３：Ｎｏ）、当該コンテンツの投稿を制限する。ここに、係る制限処理は、制御部２１の制限処理部２１４によって実行される。
【００５５】
なお、制御部２１は、前記ステップＳ１３１において、前記コンテンツに付加されている前記投稿者情報に基づいて、当該コンテンツを最初に投稿したユーザーの連絡先に、当該コンテンツが流用されるおそれがあること等を通知する所定のメッセージをメール等で通知することも考えられる。また、制御部２１は、前記ステップＳ１３１において、前記コンテンツを流用するための操作が行われた旨を、前記特定のウェブサイトの管理者の連絡先として予め登録された宛先にメール等で通知することも考えられる。
【００５６】
また、本実施形態では、前記コンテンツの投稿の制限手法として、前記投稿者情報が一致しないと判断された場合に前記コンテンツの投稿（ステップＳ１４）が行われない場合を例に挙げて説明する。一方、他の実施形態として、制御部２１が、前記投稿者情報が一致しないと判断した場合でも、ステップＳ１３１の実行後に後述のステップＳ１４を実行することが考えられる。即ち、制御部２１が、前記投稿者情報が一致しない場合に、前記コンテンツの投稿を許容しつつ、前記コンテンツの投稿の制限手法の一例として前記エラー報知処理（ステップＳ１３１）を実行することが考えられる。さらに、他の実施形態として、ステップＳ１３１で前記エラー報知処理が実行されずに、前記投稿者情報が一致しない前記コンテンツの投稿が行われた旨のエラー情報が記憶部２２に記録され、その記憶部２２に記憶されている前記エラー情報が予め設定されたタイミング又は予め設定された間隔で前記特定のウェブサイトの管理者にメール等で報知されてもよい。
【００５７】
＜ステップＳ１４＞
一方、前記投稿者情報が同じである場合（Ｓ１３：Ｙｅｓ）、又は前記コンテンツに前記投稿者情報が付加されていなかった場合（Ｓ１２：Ｙｅｓ）、ステップＳ１４において、制御部２１は、前記コンテンツの前記特定のウェブサイトへの投稿処理を実行する。具体的に、制御部２１は、登録ページＰ１１で入力されている前記コンテンツなどを含むメニュー情報を前記特定のウェブサイトが記憶されている記憶部２２に記憶させることにより、当該メニュー情報を前記特定のウェブサイトに投稿する。これにより、前記コンテンツを含む前記メニュー情報は、ユーザー端末３などの情報処理装置から通信ネットワークＮ１を介して閲覧可能となる。なお、前記投稿処理は、制御部２１の投稿処理部２１３によって実行される。
【００５８】
以上説明したように、投稿管理システム１において、投稿管理装置２の制御部２１は、入力されたコンテンツに前記投稿者情報が付加されていない場合には、前記コンテンツの投稿者に関する前記投稿者情報を前記コンテンツに付加する。一方、入力されたコンテンツに既に前記投稿者情報が付加されており、当該投稿者情報が当該コンテンツの入力者の前記投稿者情報と異なる場合に、当該コンテンツの投稿を制限することが可能である。これにより、投稿管理システム１では、前記特定のウェブサイトに投稿されたコンテンツが不正に前記特定のウェブサイトへの投稿に流用されることが防止される。
【００５９】
また、前記コンテンツの不正な投稿を防止するための他の手法としては、例えばインターネット上に同一のコンテンツが存在しないか等をクローリングなどによって随時監視することも考えられるが、この場合には、投稿管理装置２の制御部２１の処理負荷が増大する。これに対し、投稿管理装置２では、制御部２１が前記コンテンツの投稿時に当該コンテンツの正当性を判断するため、制御部２１による処理負荷を軽減することが可能である。従って、例えば制御部２１による前記投稿管理処理などの各種の処理の高速化又は通信ネットワークＮ１を介するデータ転送の高速化などを実現することが可能である。なお、制御部２１が、前記投稿管理処理を実行すると共に、前記クローリング処理によって前記投稿者情報を検索することによって、インターネット上におけるコンテンツの不正利用の有無を監視することも考えられる。
【００６０】
なお、本実施形態では、前記ステップＳ１１において、前記メニュー情報の登録要求が行われた場合に、前記コンテンツの登録要求が行われたと判断する場合について説明した。一方、前記ステップＳ１１において、前記コンテンツのアップロードの要求が行われた場合に、前記コンテンツの登録要求が行われたと判断されてもよい。即ち、前記コンテンツの投稿の制限有無を判断するタイミングは、当該コンテンツのアップロードの前後などの予め設定されたタイミングであってもよい。例えば、前記コンテンツのアップロードの前に前記コンテンツの投稿の制限が行われる場合には、当該コンテンツのアップロードが禁止されることが考えられる。また、前記コンテンツのアップロードの後に前記コンテンツの投稿の制限が行われる場合には、前記メニュー情報の登録が行われる時点と同様に、当該コンテンツを含む前記メニュー情報の登録が禁止されることが考えられる。
【００６１】
［第２実施形態］
ここに、図５は、前記投稿管理処理の他の例を説明するためのフローチャートである。なお、図５において、図３に示されている投稿管理処理と同様の処理については同じ符号を付しており、その説明を省略する。また、投稿管理システム１についても前記第１実施形態と同様の構成については説明を省略し、異なる点についてのみ説明する。
【００６２】
本実施形態に係る投稿管理装置２において、付加処理部２１２は、前記コンテンツの投稿者であるユーザーが属するグループを示すグループ情報を前記投稿者情報と同様に前記コンテンツに付加することが可能である。例えば、前記グループ情報は、ユーザーが対応付けられた施設が属するグループとして前記グループ情報Ｄ４に登録されているグループのグループＩＤである。
【００６３】
そして、図５に示されるように、前記ステップＳ１３において、前記投稿者情報が同じではないと判断されると（Ｓ１３：Ｎｏ）、処理がステップＳ２１に移行する。
【００６４】
＜ステップＳ２１＞
ステップＳ２１において、制御部２１は、入力処理部２１１によって受け付けられる前記コンテンツの投稿者に対応するグループＩＤが、前記コンテンツに既に付加されているグループＩＤと同一であるか否かを判断する。なお、前記コンテンツに前記グループＩＤが付加されていない場合には、当該ステップＳ２１が省略されてもよい。
【００６５】
ここで、前記グループＩＤが同一であると判断されると（Ｓ２１：Ｙｅｓ）、処理が前記ステップＳ１４に移行し、前記グループＩＤが同一でないと判断されると（Ｓ２１：Ｎｏ）、処理が前記ステップＳ１３１に移行する。これにより、制御部２１は、入力処理部２１１によって受け付けられる前記コンテンツの投稿者に対応するグループＩＤが、前記コンテンツに既に付加されているグループＩＤと同一である場合は、前記コンテンツの投稿を制限しないことになる。即ち、制御部２１は、入力処理部２１１によって受け付けられる前記コンテンツに既に付加されている前記投稿者情報が当該コンテンツの現在の投稿者の前記投稿者情報と異なる場合であっても、前記グループＩＤが同一である場合には、前記コンテンツの投稿を許容する。ここに、係る処理は制御部２１の制限処理部２１４によって実行される。
【００６６】
以上説明したように、本実施形態に係る投稿管理装置２によれば、チェーン店などのように同一グループに属する施設のユーザーは、前記コンテンツを流用して前記メニュー情報の登録を行うことが可能となり、ユーザーの利便性が向上する。
【００６７】
なお、本実施形態では、前記グループＩＤが同じである場合に前記コンテンツの投稿を制限しない場合について説明した。一方、同じエリアの施設で前記コンテンツが不正に流用される可能性よりも、異なるエリアの施設で前記コンテンツが不正に流用される可能性が高いとも考えられる。そこで、他の実施形態として、例えば前記投稿者情報にユーザーが属する施設のエリア（都道府県又は地域）などが含まれており、そのエリアが一致する場合に、前記コンテンツの投稿を制限しないことも考えられる。
【００６８】
［第３実施形態］
ここに、図６は、前記投稿管理処理の他の例を説明するためのフローチャートである。なお、図６において、図３に示されている投稿管理処理と同様の処理については同じ符号を付しており、その説明を省略する。また、投稿管理システム１についても前記第１実施形態と同様の構成については説明を省略し、異なる点についてのみ説明する。
【００６９】
一般に、同一のチェーン店に属する施設では、各メニュー情報のメニュー名及び価格が統一されることがある。即ち、メニュー名及び価格の組み合わせに応じてチェーン店を特定することが可能な場合がある。そこで、本実施形態では、各施設のチェーン店の情報の管理を要することなく、同一のチェーン店に属するユーザーによる前記コンテンツの流用を許容することが可能な構成について説明する。
【００７０】
本実施形態に係る投稿管理装置２において、付加処理部２１２は、入力処理部２１１によって受け付けられるメニュー情報のうち予め設定されたメニュー情報の一部又は全部を前記投稿者情報と同様に前記コンテンツに付加することが可能である。具体的に、前記メニュー情報は、飲食店における前記メニュー情報のメニュー名及び価格である。なお、前記メニュー情報は、メニュー名及び価格の組み合わせに限らず、予め設定される任意の情報であってもよい。
【００７１】
そして、図６に示されるように、前記ステップＳ１３において、前記投稿者情報が同じではないと判断されると（Ｓ１３：Ｎｏ）、処理がステップＳ３１に移行する。
【００７２】
＜ステップＳ３１＞
ステップＳ３１において、制御部２１は、入力処理部２１１によって受け付けられる前記メニュー情報が、前記コンテンツに既に付加されている前記メニュー情報と同一であるか否かを判断する。なお、前記コンテンツに前記メニュー情報が付加されていない場合には、当該ステップＳ３１が省略されてもよい。
【００７３】
ここで、前記メニュー情報が同一であると判断されると（Ｓ３１：Ｙｅｓ）、処理が前記ステップＳ１４に移行し、前記メニュー情報が同一でないと判断されると（Ｓ３１：Ｎｏ）、処理が前記ステップＳ１３１に移行する。これにより、制御部２１は、入力処理部２１１によって受け付けられる前記コンテンツに対応する前記メニュー情報が、前記コンテンツに既に付加されている前記メニュー情報と同一である場合は、前記コンテンツの投稿を制限しないことになる。即ち、制御部２１は、入力処理部２１１によって受け付けられる前記コンテンツに既に付加されている前記投稿者情報が当該コンテンツの現在の投稿者の前記投稿者情報と異なる場合であっても、前記メニュー情報が同一である場合には、前記コンテンツの投稿を許容する。ここに、係る処理は制御部２１の制限処理部２１４によって実行される。
【００７４】
以上説明したように、本実施形態に係る投稿管理装置２によれば、前記メニュー情報が同一であるか否かに応じて前記コンテンツの流用の可否が切り替えられるため、投稿管理装置２における各施設のチェーン店などのグループ情報の管理を省略しつつ、同一のグループに属する可能性が高いユーザーについての前記コンテンツの流用が可能な構成が実現される。例えば、グループ情報Ｄ４が記憶部２２に記憶されていない構成であっても、前記第２実施形態と同様の効果を奏する構成が実現される。
【００７５】
［第４実施形態］
ここに、図７は、前記投稿管理処理の他の例を説明するためのフローチャートである。なお、図７において、図３に示されている投稿管理処理と同様の処理については同じ符号を付しており、その説明を省略する。また、投稿管理システム１についても前記第１実施形態と同様の構成については説明を省略し、異なる点についてのみ説明する。
【００７６】
前述の各実施形態では、前記コンテンツの投稿制限手法として、前記コンテンツの投稿を禁止する場合を例に挙げて説明したが、前記コンテンツの投稿制限手法はこれに限らない。本実施形態では、前記コンテンツが、画像又は動画である場合に適用可能な前記コンテンツの投稿制限手法について説明する。
【００７７】
具体的に、図７に示されるように、前記ステップＳ１３において、前記投稿者情報が同じではないと判断されると（Ｓ１３：Ｎｏ）、処理がステップＳ４１に移行する。
【００７８】
＜ステップＳ４１＞
ステップＳ４１において、制御部２１は、前記コンテンツに当該コンテンツが流用されたものである旨などの予め設定された報知メッセージを、当該コンテンツの表示時に表示される可視報知情報として付加する。ここに、係る付加処理は、制御部２１の制限処理部２１４によって前記コンテンツの投稿を制限する処理として実行される。その後、制御部２１は、処理を前記ステップＳ１４に移行させて当該コンテンツの登録処理を実行する。
【００７９】
具体的に、前記ステップＳ４１において、制御部２１は、入力処理部２１１によって受け付けられ、投稿処理部２１３によって投稿される前の前記コンテンツの最前面に前記報知メッセージを合成する。これにより、投稿処理部２１３によって投稿された前記コンテンツがインターネット上で閲覧される場合には、前記コンテンツに合成された前記報知メッセージが表示されることになるため、前記コンテンツの流用行為を抑止することが可能となる。なお、前記コンテンツが画像又は動画である場合に限らず、前記コンテンツが音声である場合に、当該音声の最初又は最後などに予め設定された報知メッセージの音声が合成されることも前記コンテンツの投稿制限手法の一例として考えられる。
【００８０】
［発明の付記］
以下、上述の実施形態から抽出される発明の技術思想について付記する。なお、以下の付記で説明する各構成及び各処理機能は取捨選択して任意に組み合わせることが可能である。
【００８１】
＜付記１＞
投稿者によるコンテンツの入力操作を受け付け可能な入力処理部と、
前記入力処理部によって受け付けられる前記コンテンツに当該コンテンツの投稿者を示す投稿者情報が付加されていない場合に、当該コンテンツの入力操作を行った前記投稿者に対応する前記投稿者情報を当該コンテンツに付加する付加処理部と、
前記投稿者情報が付加された前記コンテンツを特定のウェブサイトに投稿する投稿処理部と、
前記入力処理部によって受け付けられる前記コンテンツに既に前記投稿者情報が付加されている場合であって、当該投稿者情報が当該コンテンツの入力操作を行った前記投稿者の前記投稿者情報と異なる場合に、前記投稿処理部による当該コンテンツの投稿を制限可能な制限処理部と、
を備える投稿管理装置。
【００８２】
＜付記２＞
前記付加処理部は、前記コンテンツの投稿者が属する予め設定されたグループを示すグループ情報を前記コンテンツに付加するものであり、
前記制限処理部は、前記入力処理部によって受け付けられる前記コンテンツの投稿者に対応する前記グループ情報が、前記コンテンツに既に付加されている前記グループ情報と同一である場合は前記コンテンツの投稿を制限しない、
付記１に記載の投稿管理装置。
【００８３】
＜付記３＞
前記グループ情報が、飲食店のチェーン店を示すチェーン店情報である、
付記２に記載の投稿管理装置。
【００８４】
＜付記４＞
前記入力処理部は、前記コンテンツに対応するメニュー情報の入力を受け付け可能であり、
前記付加処理部は、前記コンテンツに前記入力処理部によって受け付けられる前記メニュー情報を付加するものであり、
前記制限処理部は、前記入力処理部によって受け付けられる前記メニュー情報が、前記コンテンツに既に付加されている前記メニュー情報と同一である場合は前記コンテンツの投稿を制限しない、
付記１に記載の投稿管理装置。
【００８５】
＜付記５＞
前記メニュー情報が、飲食店におけるメニュー名及び価格である、
付記４に記載の投稿管理装置。
【００８６】
＜付記６＞
前記付加処理部は、前記投稿者情報、前記グループ情報、又は前記メニュー情報を電子透かしによって前記コンテンツに付加する、
付記１〜５のいずれかに記載の投稿管理装置。
【００８７】
＜付記７＞
前記制限処理部は、前記投稿処理部により投稿される前記コンテンツに当該コンテンツの表示時に表示される予め設定された可視報知情報を付加することにより前記投稿処理部による当該コンテンツの投稿を制限する、
付記１〜６のいずれかに記載の投稿管理装置。
【００８８】
＜付記８＞
前記コンテンツが、画像、動画、又は音声である、
付記１〜７のいずれかに記載の投稿管理装置。
【００８９】
＜付記９＞
投稿者によるコンテンツの入力操作を受け付け可能な入力ステップと、
前記入力ステップによって受け付けられる前記コンテンツに当該コンテンツの投稿者を示す投稿者情報が付加されていない場合に、当該コンテンツの入力操作を行った前記投稿者に対応する前記投稿者情報を当該コンテンツに付加する付加ステップと、
前記投稿者情報が付加された前記コンテンツを特定のウェブサイトに投稿する投稿ステップと、
前記入力ステップによって受け付けられる前記コンテンツに既に前記投稿者情報が付加されている場合であって、当該投稿者情報が当該コンテンツの入力操作を行った前記投稿者の前記投稿者情報と異なる場合に、前記投稿ステップによる当該コンテンツの投稿を制限可能な制限ステップと、
を含む投稿管理方法。
【００９０】
＜付記１０＞
投稿者によるコンテンツの入力操作を受け付け可能な入力ステップと、
前記入力ステップによって受け付けられる前記コンテンツに当該コンテンツの投稿者を示す投稿者情報が付加されていない場合に、当該コンテンツの入力操作を行った前記投稿者に対応する前記投稿者情報を当該コンテンツに付加する付加ステップと、
前記投稿者情報が付加された前記コンテンツを特定のウェブサイトに投稿する投稿ステップと、
前記入力ステップによって受け付けられる前記コンテンツに既に前記投稿者情報が付加されている場合であって、当該投稿者情報が当該コンテンツの入力操作を行った前記投稿者の前記投稿者情報と異なる場合に、前記投稿ステップによる当該コンテンツの投稿を制限可能な制限ステップと、
をコンピューターに実行させるための投稿管理プログラム。
【符号の説明】
【００９１】
１      投稿管理システム
２      投稿管理装置
２１    制御部
２１１  入力処理部
２１２  付加処理部
２１３  投稿処理部
２１４  制限処理部
３      ユーザー端末
【図１】
2018097587.tif 000003
【図２Ａ】
2018097587.tif 000004
【図２Ｂ】
2018097587.tif 000005
【図２Ｃ】
2018097587.tif 000006
【図２Ｄ】
2018097587.tif 000007
【図３】
2018097587.tif 000008
【図４】
2018097587.tif 000009
【図５】
2018097587.tif 000010
【図６】
2018097587.tif 000011
【図７】
2018097587.tif 000012